(57)【要約】【課題】滞在情報に基づく統計情報の更新をより適切に実行する。【解決手段】無線通信システムＣＳが、セルＣを形成する基地局２００と、滞在情報要素ＶＥを記憶する滞在情報データベース１２２と、滞在情報要素ＶＥに基づいて算定された統計情報要素ＳＥを記憶する統計情報データベース１２４と、更新契機を検出する更新契機検出部１３２と、特定のセル識別子ＣＩＤまたは全てのセル識別子ＣＩＤについての更新を指示する更新指示部１３４と、更新指示部１３４が特定のセル識別子ＣＩＤの更新を指示する場合には、その特定のセル識別子ＣＩＤを有する滞在情報要素ＶＥに対応する統計情報要素ＳＥを更新する一方、更新指示部１３４が全てのセル識別子ＣＩＤの更新を指示する場合には、滞在情報データベース１２２から重複無く抽出されたセル識別子ＣＩＤを有する滞在情報要素ＶＥに対応する統計情報要素ＳＥを更新するデータベース制御部１３６とを備える。【選択図】図５
2015050497.tif 000002
【特許請求の範囲】
【請求項１】
各々が、セル識別子によって識別されるセルを形成する複数の基地局と、
ユーザ装置によるセルへの滞在に関する情報を各々が示す複数の滞在情報要素を記憶する滞在情報データベースと、
１つのセル識別子に対応する１以上の滞在情報要素に基づいて各々が算定された複数の統計情報要素を記憶する統計情報データベースと、
前記ユーザ装置において生じる更新契機を検出する更新契機検出部と、
前記更新契機検出部が検出した前記更新契機に基づいて、１以上の特定のセル識別子または全てのセル識別子についての統計情報要素の更新を指示する更新指示部と、
前記更新指示部が１以上の特定のセル識別子についての統計情報要素の更新を指示する場合には、当該特定のセル識別子を有する滞在情報要素に対応する統計情報要素を更新する一方、前記更新指示部が全てのセル識別子についての統計情報要素の更新を指示する場合には、前記滞在情報データベースに含まれる複数のセル識別子を重複無く抽出し、抽出されたセル識別子を有する滞在情報要素に対応する統計情報要素を更新するデータベース制御部と
を備える無線通信システム。
【請求項２】
前記データベース制御部に対して１以上のセル識別子を通知することにより、前記セル識別子に対応する統計情報要素を要求する統計情報取得部を更に備え、
前記データベース制御部は、
前記統計情報取得部から通知された前記セル識別子に対応する統計情報要素が前記統計情報データベースに含まれない場合、当該統計情報要素の不存在を示す信号を前記統計情報取得部に送信し、
前記統計情報取得部は、
前記信号を受信すると、前記セル識別子についての統計情報要求を前記更新契機検出部に通知し、
前記更新契機検出部は、
前記統計情報取得部から通知された前記統計情報要求を前記更新契機として検出し、
前記更新指示部は、
前記統計情報要求が示す前記セル識別子についての統計情報要素の更新を指示し、
前記データベース制御部は、
指示された前記セル識別子に対応する統計情報要素を算定して前記統計情報取得部に供給する
請求項１の無線通信システム。
【請求項３】
前記データベース制御部に対して１以上のセル識別子を通知することにより、前記セル識別子に対応する統計情報要素を要求する統計情報取得部を更に備え、
前記データベース制御部は、
前記統計情報取得部から通知された前記セル識別子に対応する統計情報要素が前記統計情報データベースに含まれない場合、前記セル識別子についての統計情報要求を前記更新契機検出部に通知し、
前記更新契機検出部は、
前記データベース制御部から通知された前記統計情報要求を前記更新契機として検出し、
前記更新指示部は、
前記統計情報要求が示す前記セル識別子についての統計情報要素の更新を指示し、
前記データベース制御部は、
指示された前記セル識別子に対応する統計情報要素を更新した後、前記統計情報取得部に供給する
請求項１の無線通信システム。
【請求項４】
前記更新契機検出部は、
前記ユーザ装置による第１セルから第２セルへのハンドオーバを前記更新契機として検出し、
前記更新指示部は、
当該更新契機に基づいて、前記第１セルのセル識別子および前記第２セルのセル識別子についての統計情報要素の更新を指示する
請求項１から請求項３のいずれかの無線通信システム。
【請求項５】
前記更新契機検出部は、
所定時刻の到来を前記更新契機として検出し、
前記更新指示部は、
当該更新契機に基づいて、前記滞在情報データベース内に含まれる全てのセル識別子についての統計情報要素の更新を指示する
請求項１から請求項３のいずれかの無線通信システム。
【請求項６】
前記更新契機検出部は、
前記ユーザ装置が充電中であること、かつ、前記ユーザ装置が非アクティブ状態であることを前記更新契機として検出し、
前記更新指示部は、
当該更新契機に基づいて、前記滞在情報データベース内に含まれる全てのセル識別子についての統計情報要素の更新を指示する
請求項１から請求項３のいずれかの無線通信システム。
【請求項７】
各々が、セル識別子によって識別されるセルを形成する複数の基地局と、
ユーザ装置によるセルへの滞在に関する情報を各々が示す複数の滞在情報要素を記憶する滞在情報データベースと、
１つのセル識別子に対応する１以上の滞在情報要素に基づいて各々が算定された複数の統計情報要素を記憶する統計情報データベースとを備える無線通信システムにおいて、
前記ユーザ装置において生じる更新契機を検出することと、
検出された前記更新契機に基づいて、１以上の特定のセル識別子または全てのセル識別子についての更新を指示することと、
１以上の特定のセル識別子の更新が指示される場合には、当該特定のセル識別子を有する滞在情報要素に対応する統計情報要素を更新する一方、全てのセル識別子の更新が指示される場合には、前記滞在情報データベースに含まれる複数のセル識別子を重複無く抽出し、抽出されたセル識別子を有する滞在情報要素に対応する統計情報要素を更新することと
を備える情報処理方法。
【発明の詳細な説明】
【技術分野】
【０００１】
本発明は、無線通信システムおよび情報処理方法に関する。
【背景技術】
【０００２】
近年、ユーザ装置が存在する位置に応じてその位置に応じた情報（例えば、その位置の近傍に存在する店舗の広告情報）をユーザ装置に提供する技術や、ユーザ装置が存在する位置に応じてユーザ装置の動作を制御する技術が提案されている。ユーザ装置の位置は、例えば、ＧＰＳ（Global Positioning System）の測位情報や、ユーザ装置が無線接続する基地局に関する情報に基づいて特定される。
【先行技術文献】
【特許文献】
【０００３】
【特許文献１】特開2010-262484号公報
【発明の概要】
【発明が解決しようとする課題】
【０００４】
ユーザ装置が存在する場所（セル）の役割・機能（以下、「場所特性」と称する場合がある）は、そのユーザ装置を用いるユーザに応じて異なる。例えば、居住エリアおよびオフィスエリアを有する複合施設は、あるユーザにとっては自宅である一方で、他のユーザにとっては勤務地である。すなわち、１つの施設がユーザごとに異なる場所特性を有する場合がある。したがって、位置に応じた情報をユーザ装置に提供する技術や位置に応じてユーザ装置の動作を制御する技術において、ユーザにとっての場所特性が判定されると好適であると考えられる。場所特性を反映したより適切な情報がユーザに提供され得、また、場所特性の反映によりユーザ装置の動作をより適切に制御し得るからである。
【０００５】
場所特性は、ユーザ装置によるセルへの滞在の履歴に関する情報（以下、「滞在情報」と称する場合がある）を用いて算定される統計情報に基づいて判定され得る。統計情報は、例えば、各セルへの平均滞在時間長である。平均滞在時間長が長いセルは、ユーザの拠点（自宅、勤務地等）と判定され得る。数多くの滞在情報が統計的に処理されることにより統計情報が取得されることを鑑みると、統計情報の頻繁な更新は処理負荷の増大（ひいては、消費電力の増大）をもたらす虞がある。また、統計情報を利用する際に全ての滞在情報に対して算定処理を行うと、処理に多大な時間を要するため、統計情報が適時に提供されない虞がある。
【０００６】
以上の事情を考慮して、本発明は、滞在情報に基づく統計情報の更新をより適切に実行することを目的とする。
【課題を解決するための手段】
【０００７】
本発明の無線通信システムは、各々が、セル識別子によって識別されるセルを形成する複数の基地局と、ユーザ装置によるセルへの滞在に関する情報を各々が示す複数の滞在情報要素を記憶する滞在情報データベースと、１つのセル識別子に対応する１以上の滞在情報要素に基づいて各々が算定された複数の統計情報要素を記憶する統計情報データベースと、前記ユーザ装置において生じる更新契機を検出する更新契機検出部と、前記更新契機検出部が検出した前記更新契機に基づいて、１以上の特定のセル識別子または全てのセル識別子についての統計情報要素の更新を指示する更新指示部と、前記更新指示部が１以上の特定のセル識別子についての統計情報要素の更新を指示する場合には、当該特定のセル識別子を有する滞在情報要素に対応する統計情報要素を更新する一方、前記更新指示部が全てのセル識別子についての統計情報要素の更新を指示する場合には、前記滞在情報データベースに含まれる複数のセル識別子を重複無く抽出し、抽出されたセル識別子を有する滞在情報要素に対応する統計情報要素を更新するデータベース制御部とを備える。
【０００８】
本発明の好適な態様において、無線通信システムは、前記データベース制御部に対して１以上のセル識別子を通知することにより、前記セル識別子に対応する統計情報要素を要求する統計情報取得部を更に備え、前記データベース制御部は、前記統計情報取得部から通知された前記セル識別子に対応する統計情報要素が前記統計情報データベースに含まれない場合、当該統計情報要素の不存在を示す信号を前記統計情報取得部に送信し、前記統計情報取得部は、前記信号を受信すると、前記セル識別子についての統計情報要求を前記更新契機検出部に通知し、前記更新契機検出部は、前記統計情報取得部から通知された前記統計情報要求を前記更新契機として検出し、前記更新指示部は、前記統計情報要求が示す前記セル識別子についての統計情報要素の更新を指示し、前記データベース制御部は、指示された前記セル識別子に対応する統計情報要素を算定して前記統計情報取得部に供給する。
【０００９】
本発明の好適な態様において、無線通信システムは、前記データベース制御部に対して１以上のセル識別子を通知することにより、前記セル識別子に対応する統計情報要素を要求する統計情報取得部を更に備え、前記データベース制御部は、前記統計情報取得部から通知された前記セル識別子に対応する統計情報要素が前記統計情報データベースに含まれない場合、前記セル識別子についての統計情報要求を前記更新契機検出部に通知し、前記更新契機検出部は、前記データベース制御部から通知された前記統計情報要求を前記更新契機として検出し、前記更新指示部は、前記統計情報要求が示す前記セル識別子についての統計情報要素の更新を指示し、前記データベース制御部は、指示された前記セル識別子に対応する統計情報要素を更新した後、前記統計情報取得部に供給する。
【００１０】
本発明の好適な態様において、前記更新契機検出部は、前記ユーザ装置による第１セルから第２セルへのハンドオーバを前記更新契機として検出し、前記更新指示部は、当該更新契機に基づいて、前記第１セルのセル識別子および前記第２セルのセル識別子についての統計情報要素の更新を指示する。
【００１１】
本発明の好適な態様において、前記更新契機検出部は、所定時刻の到来を前記更新契機として検出し、前記更新指示部は、当該更新契機に基づいて、前記滞在情報データベース内に含まれる全てのセル識別子についての統計情報要素の更新を指示する。
【００１２】
本発明の好適な態様において、前記更新契機検出部は、前記ユーザ装置が充電中であること、かつ、前記ユーザ装置が非アクティブ状態であることを前記更新契機として検出し、前記更新指示部は、当該更新契機に基づいて、前記滞在情報データベース内に含まれる全てのセル識別子についての統計情報要素の更新を指示する。
【００１３】
本発明の情報処理方法は、各々が、セル識別子によって識別されるセルを形成する複数の基地局と、ユーザ装置によるセルへの滞在に関する情報を各々が示す複数の滞在情報要素を記憶する滞在情報データベースと、１つのセル識別子に対応する１以上の滞在情報要素に基づいて各々が算定された複数の統計情報要素を記憶する統計情報データベースとを備える無線通信システムにおいて、前記ユーザ装置において生じる更新契機を検出することと、検出された前記更新契機に基づいて、１以上の特定のセル識別子または全てのセル識別子についての更新を指示することと、１以上の特定のセル識別子の更新が指示される場合には、当該特定のセル識別子を有する滞在情報要素に対応する統計情報要素を更新する一方、全てのセル識別子の更新が指示される場合には、前記滞在情報データベースに含まれる複数のセル識別子を重複無く抽出し、抽出されたセル識別子を有する滞在情報要素に対応する統計情報要素を更新することとを備える。
【発明の効果】
【００１４】
本発明によれば、滞在情報に基づく統計情報の更新がより適切に実行される。
【図面の簡単な説明】
【００１５】
【図１】第１実施形態に係る無線通信システムを示すブロック図である。
【図２】第１実施形態に係る基地局が形成するセルを示す図である。
【図３】第１実施形態に係るユーザ装置の構成を示すブロック図である。
【図４】第１実施形態に係る基地局の構成を示すブロック図である。
【図５】第１実施形態に係る統計情報更新処理を示すフローチャートである。
【図６】記憶部に記憶される滞在情報データベースの構成例を示す図である。
【図７】記憶部に記憶される統計情報データベースの構成例を示す図である。
【図８】第１実施形態に係る統計情報要求に関する処理を示すフローチャートである。
【図９】変形例に係る統計情報要求に関する処理を示すフローチャートである。
【発明を実施するための形態】
【００１６】
１．  第１実施形態
１（１）．  無線通信システムの概略
図１は、本発明の第１実施形態に係る無線通信システムＣＳを示すブロック図である。無線通信システムＣＳは、ユーザ装置１００と基地局２００とを要素として備える。基地局２００は、上記以外の不図示の要素、交換局およびゲートウェイを備えるコアネットワークに接続される。ネットワークＮＷは、無線通信システムＣＳが備える上記の要素のうち、ユーザ装置１００以外の要素を備える。
【００１７】
無線通信システムＣＳ内の各要素は、任意のアクセス技術（Access Technology）に従って通信を実行する。例えば、３ＧＰＰ（Third Generation Partnership Project）規格に含まれるＬＴＥ／ＳＡＥ（Long Term Evolution / System Architecture Evolution）規格が、採用可能なアクセス技術として例示される。無線アクセスの多重方式として、周波数分割多重が用いられてもよいし、時分割多重が用いられてもよい。無線通信システムＣＳにおいて、複数の無線アクセス技術（例えば、３Ｇ及びＬＴＥ）が採用されてもよい。
【００１８】
図２に示すように、基地局２００（２００ａ，２００ｂ）は、その周囲にセルＣ（Ｃａ，Ｃｂ）を形成する。セルＣは、固有のセル識別子ＣＩＤによって識別される。ユーザ装置１００は、そのユーザ装置１００が滞在する（在圏する）セルＣに対応する基地局２００と無線通信することが可能である。なお、１つの基地局２００が複数のセルＣを形成してもよい。各セルＣにおいて利用される無線アクセス技術は任意に選択され得る。例えば、１つの基地局２００が形成する複数のセルＣにおいて、共通の無線アクセス技術が採用されてもよいし、異なる無線アクセス技術が採用されてもよい。
【００１９】
１（２）．  各要素の構成
１（２）−１．  ユーザ装置の構成
図３は、第１実施形態に係るユーザ装置１００の構成を示すブロック図である。ユーザ装置１００は、無線通信部１１０と記憶部１２０と制御部１３０とを備える。音声・映像等を出力する出力装置およびユーザからの指示を受け付ける入力装置等の図示は便宜的に省略されている。無線通信部１１０は、基地局２００と無線通信を実行するための要素であり、送受信アンテナと、基地局２００からの下り無線信号を受信して電気信号に変換する受信回路と、制御信号、ユーザ信号等の電気信号を上り無線信号に変換する送信回路とを含む。記憶部１２０は、ユーザ装置１００によるセルＣへの滞在に関する情報（滞在情報ＶＩ）を記憶する滞在情報データベース１２２と、セル識別子ＣＩＤに対応する滞在情報要素ＶＥに基づいて算定された情報（統計情報ＳＩ）を記憶する統計情報データベース１２４とを含む。滞在情報ＶＩには複数の滞在情報要素ＶＥが含まれ、統計情報ＳＩには複数の統計情報要素ＳＥが含まれる。
【００２０】
制御部１３０は、更新契機検出部１３２と更新指示部１３４とデータベース制御部１３６と統計情報取得部１３８とを備える。更新契機検出部１３２は、ユーザ装置１００に応じて生じる更新契機（詳細は後述される）を検出する。更新指示部１３４は、統計情報データベース１２４（統計情報要素ＳＥ）の更新を指示する。データベース制御部１３６は、滞在情報データベース１２２および統計情報データベース１２４との入出力を制御する。例えば、データベース制御部１３６は、更新指示部１３４が特定したセル識別子ＣＩＤに対応する、統計情報データベース１２４内の統計情報要素ＳＥを更新する。統計情報取得部１３８は、統計情報要素ＳＥの取得をデータベース制御部１３６に要求する。制御部１３０内の各要素の動作の更なる詳細は後述される。制御部１３０および制御部１３０内の各要素は、ユーザ装置１００内のＣＰＵ（不図示）が、記憶部１２０に記憶されたコンピュータプログラムを実行し、そのコンピュータプログラムに従って機能することにより実現される機能ブロックである。
【００２１】
１（２）−２．  基地局の構成
図４は、第１実施形態に係る基地局２００の構成を示すブロック図である。基地局２００は、無線通信部２１０とネットワーク通信部２２０と制御部２３０とを備える。無線通信部２１０は、ユーザ装置１００と無線通信を実行するための要素であり、ユーザ装置１００の無線通信部１１０と同様に構成される。ネットワーク通信部２２０は、ネットワークＮＷ内の他のノード（他の基地局２００、交換局、ゲートウェイ等）と有線にて通信を実行する要素である。制御部２３０は、無線通信部２１０およびネットワーク通信部２２０を介して、ユーザ装置１００およびネットワークＮＷ内の他のノードと信号（制御信号、データ信号等）を送受信する。制御部２３０は、基地局２００内のＣＰＵ（不図示）が、記憶部（不図示）に記憶されたコンピュータプログラムを実行し、そのコンピュータプログラムに従って機能することにより実現される機能ブロックである。
【００２２】
１（３）．  情報処理
１（３）−１．  統計情報更新処理
図５は、統計情報要素ＳＥの更新処理を示すフローチャートである。図６は、滞在情報データベース１２２（滞在情報ＶＩ）の構成を例示する図である。図７は、統計情報データベース１２４（統計情報ＳＩ）の構成を例示する図である。
【００２３】
更新処理のフローチャートの説明に先立ち、滞在情報ＶＩおよび統計情報ＳＩの構成を説明する。図６に示される通り、滞在情報ＶＩは、各々が、ユーザ装置１００によるセルＣへの１回の滞在に相当する複数の滞在情報要素ＶＥ（ＶＥ１，ＶＥ２，ＶＥ３，ＶＥ４，ＶＥ５，…）を含む。各滞在情報要素ＶＥは、セル識別子ＣＩＤ、滞在開始時刻、滞在終了時刻、滞在時間長などの複数の情報項目を含む。
【００２４】
図７に示される通り、統計情報ＳＩは、各々が、１つのセル識別子ＣＩＤに対応する１以上の滞在情報要素ＶＥに基づいて算定された複数の統計情報要素ＳＥ（ＳＥ１，ＳＥ２，ＳＥ３，…）を含む。例えば、セルＣａについての統計情報要素ＳＥ１は、セルＣａへの滞在に相当する滞在情報要素ＶＥ１，ＶＥ５に基づいて算定されている。各統計情報要素ＳＥは、セル識別子ＣＩＤ、平均滞在時間長などの複数の情報項目を含む。
【００２５】
更新契機検出部１３２は、ユーザ装置１００において生じる各種のイベントを更新契機として検出する（S10）。更新契機となるイベントを以下に非限定的に例示する。
・ユーザ装置１００が第１セルＣ１から第２セルＣ２にハンドオーバした（更新契機Ａ）
・ユーザ装置１００のディスプレイがオン状態に遷移した（更新契機Ｂ）
・ユーザ装置１００が充電中かつ非アクティブ状態（更新契機Ｃ）
・ユーザ装置１００のＯＳシャットダウンが指示された（更新契機Ｄ）
・統計情報要求（後述）が検出された（更新契機Ｅ）
・所定時刻（例えば午前３時）が到来した（更新契機Ｆ）
【００２６】
更新指示部１３４は、更新契機検出部１３２が検出した更新契機に基づいて、１以上の特定のセル識別子ＣＩＤまたは全てのセル識別子ＣＩＤについての統計情報要素ＳＥの更新をデータベース制御部１３６に指示する（S20）。例えば、更新契機Ａが検出された場合、更新指示部１３４は、ハンドオーバ前後のセルＣである第１セルＣ１のセル識別子ＣＩＤおよび第２セルＣ２のセル識別子ＣＩＤについての更新を指示する。更新契機Ｂが検出された場合、更新指示部１３４は、ユーザ装置１００が滞在しているセルＣのセル識別子ＣＩＤについての更新を指示する。更新契機Ｅが検出された場合、更新指示部１３４は、統計情報要求が示すセル識別子ＣＩＤについての更新を指示する。更新契機Ｃ，Ｄ，およびＦが検出された場合、更新指示部１３４は、全てのセル識別子ＣＩＤについての更新を指示する。以上から理解される通り、更新指示は、特定のセル識別子ＣＩＤについての統計情報要素ＳＥの更新指示（特定更新指示）と全てのセル識別子ＣＩＤについての統計情報要素ＳＥの更新指示（全件更新指示）とに大別される。
【００２７】
なお、ここで「全てのセル識別子ＣＩＤ」とは、滞在情報データベース１２２（滞在情報ＶＩ）に含まれる全ての滞在情報要素ＶＥが示す複数のセル識別子ＣＩＤから、重複するセル識別子ＣＩＤを除いたセル識別子ＣＩＤを示す。すなわち、「全てのセル識別子ＣＩＤ」において、各セル識別子ＣＩＤは１つのみ存在する（ユニークである）。例えば、図６において、「全てのセル識別子ＣＩＤ」は、５つのセル識別子ＣＩＤ（Ｃａ，Ｃｂ，Ｃｃ，Ｃｂ，Ｃａ）から重複分を除いた３つのセル識別子ＣＩＤ（Ｃａ，Ｃｂ，Ｃｃ）である。
【００２８】
更新指示部１３４が、特定のセル識別子ＣＩＤについての統計情報要素ＳＥの更新を指示すると（S30；特定更新）、データベース制御部１３６は、指示された特定のセル識別子ＣＩＤを有する滞在情報要素ＶＥを滞在情報データベース１２２（滞在情報ＶＩ）から取得し、セル識別子ＣＩＤごとに統計情報要素ＳＥを算定する（S40）。例えば、データベース制御部１３６は、特定のセル識別子ＣＩＤの各々について、滞在情報要素ＶＥが示す滞在時間長を平均して平均滞在時間長を算定する。
【００２９】
一方、更新指示部１３４が、全てのセル識別子ＣＩＤについての統計情報要素ＳＥの更新を指示すると（S30；全件更新）、データベース制御部１３６は、滞在情報データベース１２２（滞在情報ＶＩ）から全ての滞在情報要素ＶＥを取得し、取得された滞在情報要素ＶＥに含まれる全てのセル識別子ＣＩＤを重複無く（ユニークに）抽出し、抽出されたセル識別子ＣＩＤごとに統計情報要素ＳＥを算定する（S50）。
【００３０】
ステップS40またはステップS50が終了すると、データベース制御部１３６は、セル識別子ＣＩＤ単位で算定された統計情報要素ＳＥを用いて、統計情報データベース１２４（統計情報ＳＩ）をセル識別子ＣＩＤ単位で更新する（S60）。
【００３１】
１（３）−２．  統計情報要求に関する処理
次いで、統計情報要求に関する処理を以下に説明する。概説すると、統計情報取得部１３８は、統計情報要素ＳＥを利用するユーザ装置１００内のモジュール（例えば、位置に応じた広告を表示させるモジュール）からの指示に基づいて統計情報要素ＳＥを取得し、そのモジュールに提供する。ここで、以上のモジュールからの指示には、取得すべき１以上の統計情報要素ＳＥに対応するセル識別子ＣＩＤが含まれる。
【００３２】
図８は、統計情報要素ＳＥの要求に関する処理を示すフローチャートである。統計情報取得部１３８は、データベース制御部１３６に対して１以上のセル識別子ＣＩＤを通知することにより、通知したセル識別子ＣＩＤに対応する統計情報要素ＳＥを要求する（S110）。
【００３３】
統計情報取得部１３８からセル識別子ＣＩＤが通知されると、データベース制御部１３６は、通知されたセル識別子ＣＩＤを用いて統計情報データベース１２４（統計情報ＳＩ）を検索する。通知されたセル識別子ＣＩＤに対応する統計情報要素ＳＥが存在する場合（S120；YES）、データベース制御部１３６は、検索された統計情報要素ＳＥを取得して統計情報取得部１３８に提供する（S130）。
【００３４】
一方、統計情報取得部１３８から通知されたセル識別子ＣＩＤに対応する統計情報要素ＳＥが統計情報データベース１２４（統計情報ＳＩ）に含まれない場合（S120；NO）、データベース制御部１３６は、取得すべき統計情報要素ＳＥの不存在を示す信号を統計情報取得部１３８に送信する（S140）。
【００３５】
以上の信号を受信すると、統計情報取得部１３８は、通知されたセル識別子ＣＩＤについての統計情報要素ＳＥの取得を要求する統計情報要求を更新契機検出部１３２に通知する（S150）。更新契機検出部１３２は、通知された統計情報要求を更新契機として検出する（S160）。更新指示部１３４は、検出された更新契機に基づいて、以上の統計情報要求が示すセル識別子ＣＩＤについての統計情報要素ＳＥの更新を指示する（S170）。以上の指示を受けると、データベース制御部１３６は、指示されたセル識別子ＣＩＤに対応する滞在情報要素ＶＥを滞在情報データベース１２２（滞在情報ＶＩ）から取得し、セル識別子ＣＩＤごとに統計情報要素ＳＥを算定して統計情報取得部１３８に提供する（S180）。なお、その後、データベース制御部１３６は、算定された統計情報要素ＳＥを用いて統計情報データベース１２４を更新してもよいし、しなくてもよい。
【００３６】
１（４）．  本実施形態の効果
以上の構成によれば、滞在情報ＶＩに基づく統計情報ＳＩの更新がより適切に実行される。より具体的には、滞在情報要素ＶＥを記憶する滞在情報データベース１２２と統計情報要素ＳＥを記憶する統計情報データベース１２４とが別個に設けられるので、要求がある度に滞在情報要素ＶＥから統計情報要素ＳＥが算定される構成と比較して、レスポンスの向上および処理負荷の削減が実現される。また、検出された更新契機に応じて特定のセル識別子ＣＩＤについて更新を行うか全件更新を行うかが判定されるので、更新契機ごとに統計情報データベース１２４の全件更新が実行される構成と比較して以上の技術的効果がより顕著となる。
【００３７】
２．  変形例
以上の実施形態は多様に変形される。具体的な変形の態様を以下に例示する。以上の実施の形態および以下の例示から任意に選択された２以上の態様は、相互に矛盾しない限り適宜に併合され得る。
【００３８】
２（１）．  変形例１
各滞在情報要素ＶＥは、図６に示される情報項目以外の情報項目を含んでもよい。例えば、セルＣの無線システムの種別（ＬＴＥ，３Ｇ，無線ＬＡＮ等）、無線ＬＡＮ接続履歴（有／無）、稼働状態（アクティブ／非アクティブ）、充電状態（滞在中に充電状態に遷移したことが有るか否か）、バッテリ残量（滞在開始時または滞在終了時のバッテリ残量）、通信状態（滞在中に無線通信状態に遷移したことがあるか否か）、場所特性（自宅、勤務先、鉄道駅等）、セルＣに滞在した曜日（滞在曜日）、セルＣに滞在した時間帯（滞在時間帯）、セルＣ滞在中に実行された無線通信の回数、ユーザ装置１００が頻繁に滞在する拠点セル（例えば、ユーザの自宅に対応するセルＣ）からの距離、が情報項目の例として示される。以上の情報項目の全部または一部が滞在情報要素ＶＥに含まれ得る。
【００３９】
各統計情報要素ＳＥは、図７に示される情報項目以外の情報項目を含んでもよい。例えば、セルＣの無線システムの種別、無線ＬＡＮ接続率（無線ＬＡＮ接続履歴が「有」である滞在情報要素ＶＥの割合）、稼働率（稼働状態が「アクティブ」である滞在情報要素ＶＥの割合）、充電頻度（充電状態が「有」である滞在情報要素ＶＥの割合）、平均バッテリ残量、通算滞在回数、場所特性、が情報項目の例として示される。以上の情報項目の全部または一部が統計情報要素ＳＥに含まれ得る。
【００４０】
２（２）．  変形例２
ステップS10においては、任意のイベントが更新契機として検出され得る。例えば、更新契機検出部１３２は、ユーザ装置１００が充電中であり、非アクティブ状態であり、かつ、滞在しているセルＣの場所特性が「自宅」または「勤務先」であることを、全件更新のための更新契機として検出してもよい。以上の構成によれば、ユーザがユーザ装置１００を使用しておらず、かつ、可搬型の充電装置からではなく固定電源から供給される電力によりユーザ装置１００の充電が実行されている可能性が高い状態において、統計情報データベース１２４の全件更新が実行される。結果として、全件更新によるレスポンスの低下と消費電力の増大とがもたらすサービス品質に対する悪影響が抑制され得る。
【００４１】
２（３）．  変形例３
データベース制御部１３６が更新契機検出部１３２に統計情報要求を通知してもよい。図９のフローチャートを参照して、本変形例の構成を具体的に説明する。ステップS110、ステップS120（YESの場合）、およびステップS130については、第１実施形態と同様である。
【００４２】
統計情報取得部１３８から通知されたセル識別子ＣＩＤに対応する統計情報要素ＳＥが統計情報データベース１２４（統計情報ＳＩ）に含まれない場合（S120；NO）、データベース制御部１３６は、通知されたセル識別子ＣＩＤについての統計情報要素ＳＥの取得を要求する統計情報要求を更新契機検出部１３２に通知する（S142）。更新契機検出部１３２は、通知された統計情報要求を更新契機として検出する（S152）。更新指示部１３４は、検出された更新契機に基づいて、以上の統計情報要求が示すセル識別子ＣＩＤについての更新を指示する（S162）。
【００４３】
以上の指示を受けると、データベース制御部１３６は、指示されたセル識別子ＣＩＤに対応する滞在情報要素ＶＥを滞在情報データベース１２２（滞在情報ＶＩ）から取得し、セル識別子ＣＩＤごとに統計情報要素ＳＥを算定して、統計情報データベース１２４中の指定されたセル識別子ＣＩＤに対応する統計情報要素ＳＥを更新する（S172）。その後、データベース制御部１３６は、更新された統計情報要素ＳＥを統計情報取得部１３８に供給する。
【００４４】
２（４）．  変形例４
以上の実施形態においては、ユーザ装置１００が、滞在情報データベース１２２、統計情報データベース１２４、更新契機検出部１３２、更新指示部１３４、データベース制御部１３６、および統計情報取得部１３８を備える。しかしながら、以上の要素の少なくともいずれかがネットワークＮＷ側の装置（例えば、基地局２００、専用サーバ装置）に備えられてもよい。すなわち、本発明を実施するための要素の各々は、無線通信システムＣＳの任意の箇所に配置され得る。
【００４５】
２（５）．  変形例５
ユーザ装置１００は基地局２００と無線通信が可能な任意の装置である。ユーザ装置１００は、例えば、フィーチャーフォンまたはスマートフォン等の携帯電話端末でもよく、デスクトップ型パーソナルコンピュータでもよく、ノート型パーソナルコンピュータでもよく、ＵＭＰＣ（Ultra-Mobile Personal Computer）でもよく、携帯用ゲーム機でもよく、その他の無線端末でもよい。
【００４６】
２（６）．  変形例６
無線通信システムＣＳ内の各要素（ユーザ装置１００、基地局２００）においてＣＰＵが実行する各機能は、ＣＰＵの代わりに、ハードウェアで実行してもよいし、例えばＦＰＧＡ（Field Programmable Gate Array）、ＤＳＰ（Digital Signal Processor）等のプログラマブルロジックデバイスで実行してもよい。
【符号の説明】
【００４７】
１００……ユーザ装置、１１０……無線通信部、１２０……記憶部、１２２……滞在情報データベース、１２４……統計情報データベース、１３０……制御部、１３２……更新契機検出部、１３４……更新指示部、１３６……データベース制御部、１３８……統計情報取得部、２００……基地局、２１０……無線通信部、２２０……ネットワーク通信部、２３０……制御部、Ｃ……セル、ＣＩＤ……セル識別子、ＣＳ……無線通信システム、ＮＷ……ネットワーク、ＳＥ……統計情報要素、ＳＩ……統計情報、ＶＥ……滞在情報要素、ＶＩ……滞在情報。
【図１】
2015050497.tif 000003
【図２】
2015050497.tif 000004
【図３】
2015050497.tif 000005
【図４】
2015050497.tif 000006
【図５】
2015050497.tif 000007
【図６】
2015050497.tif 000008
【図７】
2015050497.tif 000009
【図８】
2015050497.tif 000010
【図９】
2015050497.tif 000011